(57)【要約】【課題】ダンパの開閉動作に着目して一層確実に安定した冷却能力を確保し得る冷蔵庫を提供する。【解決手段】この冷蔵庫に備えられる制御基板３１は、各ダンパ（冷凍室冷却ダンパ、冷蔵室冷却ダンパ）の開閉動作の検知、並びに複数の温度センサからの情報に基づいてその開閉動作の制御を行う冷蔵庫運転状態検知手段７１と、係る検知手段７１で得られた情報に基づいて庫内ファンモータ９の目標回転数を各ダンパの開閉動作開始前に設定するファン回転数設定手段７２と、各ダンパの開閉動作開始後にファンモータ９の回転数を検出するファンモータ回転数検出手段７３と、各ダンパの開閉動作開始後に目標回転数から実測回転数を差し引いた差値を算出した結果に基づいて回転数補正値を演算するファンモータ回転数補正手段７４と、ファンモータ９の回転数を必要に応じて回転数補正値に基づいて調整して制御するファンモータ回転数制御手段７５と、を備える。【選択図】図８
2013224777.tif 000002
【特許請求の範囲】
【請求項１】
断熱体により庫内を区分けして設けられた複数の貯蔵室と、前記複数の貯蔵室に冷気を送風するための冷気ダクトと、前記冷気ダクト内に設置されて開閉動作するダンパと、冷気を前記冷気ダクトを通して前記複数の貯蔵室内に送風して循環させて冷却を行うファンモータと、を本体内に備え、更に、前記ファンモータの目標回転数を設定するファン回転数設定手段と、前記ファンモータの回転数を検出するファンモータ回転数検出手段と、前記ファンモータ回転数設定手段による前記目標回転数から前記ファンモータ回転数検出手段で検出された前記回転数を差し引いた差値を算出した結果に基づいて回転数補正値を演算するファンモータ回転数補正手段と、前記ファンモータの回転数を前記回転数補正値に基づいて調整して制御するファンモータ回転数制御手段と、を備えた冷蔵庫であって、
前記ファン回転数設定手段は、前記ダンパの開閉動作開始前に前記目標回転数を設定し、前記ファンモータ回転数検出手段は、前記ダンパの開閉動作終了後に前記ファンモータの回転数を検出し、前記ファンモータ回転数補正手段は、前記ダンパの開閉動作終了後に前記回転数補正値を演算し、前記ファンモータ回転数制御手段は、前記ダンパの開閉動作終了後の前記回転数補正値に基づいて前記ファンモータの回転数の調整を行うことを特徴とする冷蔵庫。
【請求項２】
請求項１記載の冷蔵庫において、前記ダンパは複数個設置され、前記ファンモータ回転数検出手段は、前記複数のダンパのうちの何れか１つのダンパの開閉動作終了後に前記ファンモータの回転数を検出し、前記ファンモータ回転数補正手段は、前記複数のダンパのうちの何れか１つのダンパの開閉動作終了後に前記回転数補正値を演算することを特徴とする冷蔵庫。
【請求項３】
請求項２に記載の冷蔵庫において、前記複数のダンパは、冷蔵室と冷凍室とにそれぞれ一つずつ設置されると共に、それぞれの開閉パターンによって前記複数の貯蔵室を選択的に独立して冷却することを特徴とする冷蔵庫。
【請求項４】
請求項１〜３の何れか１項記載の冷蔵庫において、前記ファンモータ回転数制御手段は、前記ファンモータへ印加する電圧を変化させることで前記ファンモータの回転数を制御することを特徴とする冷蔵庫。
【発明の詳細な説明】
【技術分野】
【０００１】
本発明は、庫内ファンモータとその回転数を運転制御する制御装置とを備えた冷蔵庫に関する。
【背景技術】
【０００２】
従来、一般的な冷蔵庫では、断熱箱体による庫内を冷凍室、冷蔵室、及び野菜室に区分けして複数の貯蔵室を持つ構造とすると共に、各室の背方には冷却器と庫内ファンモータとを設置し、冷却器からの冷気を庫内ファンモータにより各室に循環させて冷却を行う機能を持たせている。また、断熱箱体の下部には機械室が設けられ、この機械室内には冷却器と共に冷媒回路を構成する圧縮機並びに凝縮器とこれらの機器を空冷するための機械室ファンモータとが設置されている。更に、近年では各室内の温度に基づいて庫内ファンモータに印加する電圧、或いは凝縮器や圧縮機の温度に基づいて機械室ファンモータに印加する電圧等を可変にし、各ファンモータの回転数を可変にすることにより、各温度に応じた適切な冷気循環、或いは空冷を行っている。加えて、近年の冷蔵庫では、複数の貯蔵室を選択的に冷却するために、冷気通路中に風路開閉用のダンパが設けられた構造を持つものも製品化されている。
【０００３】
ところで、ダンパが設けられた構造の冷蔵庫では、庫内ファンモータが各貯蔵室のダンパの開閉による風路抵抗の変化や周囲温度変化に伴う軸受けオイルの粘度変化により回転数が大きく変化することが知られている。そこで、既存の冷蔵庫では、各ファンモータの回転数を検出する回転数検出手段を備え、その検出結果に基づいて設定回転数に各ファンモータを調整するためのフィードバック制御を行うことにより、一層安定した冷却性能を確保することを仕様上の目的としている。
【０００４】
因みに、ファンモータを調整するためのフィードバック制御を行う冷蔵庫に係る周知技術としては、例えば負荷に変動が生じた場合でもファンモータを設定回転数で安定して回転させる「冷蔵庫」（特許文献１参照）が挙げられる。
【０００５】
しかしながら、この冷蔵庫では、ファンモータの周辺環境の変化によって生じる回転数の変動を補正するために一定時間毎にフィードバック制御を行うことにより回転数の安定化を図っているが、実際にはファンモータの周辺環境に関係なくフィードバック制御を実施することになるため、例えばフィードバック制御後にファンモータの周辺温度が低下すると、軸受けオイルの粘度増加に伴ってファンモータの回転数が低下してしまう。こうした場合、次のフィードバック制御が行われるまでに低速回転で運転するため、冷蔵庫としての冷却能力が低下してしまうことになる。
【０００６】
こうした問題を解決するための技術も提案されており、例えばファンモータの周囲温度をより精密に測定すると共に、ファンモータのフィードバック制御のタイミングを効果的に行うことで、より確実に安定した冷却能率を確保した「冷蔵庫」（特許文献２参照）が挙げられる。
【先行技術文献】
【特許文献】
【０００７】
【特許文献１】特開平１１−１０１５４２号公報
【特許文献２】特開２００５−１５６１０２号公報
【発明の概要】
【発明が解決しようとする課題】
【０００８】
上述した特許文献２に係る技術では、庫内温度又は凝縮器周辺温度からファンモータ周辺の温度を推定し、その推定した温度によって目標回転数を補正することで冷却能力の低下防止を図っているが、上述したようなダンパを具備する冷蔵庫でダンパの開閉に伴う風路抵抗の大小による回転数の変化については考慮されていないため、例えばフィードバック制御後にダンパが開状態から閉状態となり、風路抵抗が大きくなった場合にはファンモータの回転数が低下し、特許文献１の場合と同様に、次のフィードバック制御が行われるまでは低回転で回転するために冷蔵庫としての冷却能力が低下してしまうという問題がある。
【０００９】
要するに、特許文献１や特許文献２に開示された技術では、ダンパを具備する冷蔵庫での適用が困難であり、ダンパが開状態から閉状態となって風路抵抗が大きくなった場合に冷却能力が低下されてしまうという問題を解決できないという短所がある。
【００１０】
本発明は、このような問題点を解決すべくなされたもので、その技術的課題は、ダンパの開閉動作に着目して一層確実に安定した冷却能力を確保し得る冷蔵庫を提供することにある。
【課題を解決するための手段】
【００１１】
上記技術的課題を達成するため、本発明の第１の手段は、断熱体により庫内を区分けして設けられた複数の貯蔵室と、複数の貯蔵室に冷気を送風するための冷気ダクトと、冷気ダクト内に設置されて開閉動作するダンパと、冷気を冷気ダクトを通して複数の貯蔵室内に送風して循環させて冷却を行うファンモータと、を本体内に備え、更に、ファンモータの目標回転数を設定するファン回転数設定手段と、ファンモータの回転数を検出するファンモータ回転数検出手段と、ファンモータ回転数設定手段による目標回転数からファンモータ回転数検出手段で検出された回転数を差し引いた差値を算出した結果に基づいて回転数補正値を演算するファンモータ回転数補正手段と、ファンモータの回転数を回転数補正値に基づいて調整して制御するファンモータ回転数制御手段と、を備えた冷蔵庫であって、ファン回転数設定手段は、ダンパの開閉動作開始前に目標回転数を設定し、ファンモータ回転数検出手段は、ダンパの開閉動作終了後にファンモータの回転数を検出し、ファンモータ回転数補正手段は、ダンパの開閉動作終了後に回転数補正値を演算し、ファンモータ回転数制御手段は、ダンパの開閉動作終了後の回転数補正値に基づいてファンモータの回転数の調整を行うことを特徴とする。
【００１２】
本発明の第２の手段は、第1の手段において、ダンパは複数個設置され、ファンモータ回転数検出手段は、複数のダンパのうちの何れか１つのダンパの開閉動作終了後にファンモータの回転数を検出し、ファンモータ回転数補正手段は、複数のダンパのうちの何れか１つのダンパの開閉動作終了後に回転数補正値を演算することを特徴とする。
【００１３】
本発明の第３の手段は、第２の手段において、複数のダンパは、冷蔵室と冷凍室とにそれぞれ一つずつ設置されると共に、それぞれの開閉パターンによって複数の貯蔵室を選択的に独立して冷却することを特徴とする。
【００１４】
本発明の第４の手段は、第１の手段〜第3の手段の何れか１つの手段において、ファンモータ回転数制御手段は、ファンモータへ印加する電圧を変化させることでファンモータの回転数を制御することを特徴とする。
【発明の効果】
【００１５】
本発明の冷蔵庫によれば、ダンパが庫内の各貯蔵室の温度に応じて開閉動作するものであることを着目し、ダンパの開閉動作開始前にファン回転数設定手段で目標回転数を設定し、ダンパの開閉動作終了後にファンモータ回転数検出手段でファンモータの回転数を検出すると共に、ファンモータ回転数補正手段で回転数補正値を演算し、ファンモータ回転数制御手段によってダンパの開閉動作終了後の回転数補正値に基づいてファンモータの回転数の調整を行うことにより、ダンパの開閉動作を行う都度、ファンモータの回転数を補正して調整制御を行う機能が得られるため、制御ソフトを簡素化にさせ、従来のように定期的にファンモータの回転数に係るフィードバック制御を行うことなく、ファンモータの設定回転数と実際の回転数とのずれを少なくすることができる他、ファンモータの周囲温度の変化によるファンモータの回転数の変化についても十分に抑制することができるようになる。このような結果として、一層確実に安定した冷却能力を確保できると共に、消費電力についても十分に低減し得るようになる。
【図面の簡単な説明】
【００１６】
【図１】本発明の実施例１に係る冷蔵庫を正面方向から示した外観図である。
【図２】図１に示す冷蔵庫の庫内構造を示すＸ−Ｘ方向における側面断面図である。
【図３】図１に示す冷蔵庫の庫内構造を一部透視して示した背面方向からの外観図である。
【図４】図２に示す側面断面図の要部を拡大して一部破断して示した図である。
【図５】図３に示す背面方向からの外観における一部を露呈して拡大して示した図である。
【図６】図１〜図５で説明した冷蔵庫に備えられる各ダンパの開閉動作に伴う風路抵抗特性を風量に対する静圧の関係で示した図である。
【図７】図１〜図５で説明した冷蔵庫に備えられる庫内ファンモータにおける風量特性並びに回転数特性を風量に対する静圧、回転数の関係で示した図である。
【図８】図１〜図５で説明した冷蔵庫に備えられる制御装置である制御基板に係る基本構成を示した機能ブロック図である。
【図９】図８で説明した制御基板による動作処理を示したフローチャートである。
【発明を実施するための形態】
【００１７】
以下に、本発明の冷蔵庫について、実施例を挙げ、図面を参照して詳細に説明する。
【実施例１】
【００１８】
図１は、本発明の実施例１に係る冷蔵庫を正面方向から示した外観図である。また、図２は係る冷蔵庫の庫内構造を示すＸ−Ｘ方向における側面断面図であり、図３は係る冷蔵庫の庫内構造（ダクトや吹き出し口の配置等）を一部透視して示した背面方向からの外観図である。更に、図４は図２に示す側面断面図の要部を拡大して一部破断して示した図であり、図５は図３に示す背面方向からの外観における一部を露呈して拡大して示した図である。
【００１９】
図１を参照すれば、実施例１に係る冷蔵庫１は、断熱体により庫内を区分けして設けられた複数の貯蔵室として、上方から冷蔵室２、製氷室３、上段冷凍室４、下段冷凍室５、及び野菜室６を有する構成となっている。尚、以下では冷蔵室２及び野菜室６を総称して冷蔵温度帯室と呼び、製氷室３、上段冷凍室４、及び下段冷凍室５を総称して冷凍温度帯室６０と呼ぶことがある。
【００２０】
冷蔵室２は前方側に左右に分割された観音開きの冷蔵室扉２ａ、２ｂを備え、製氷室３、上段冷凍室４、下段冷凍室５、及び野菜室６は、それぞれ引き出し式の製氷室扉３ａ、上段冷凍室扉４ａ、下段冷凍室扉５ａ、及び野菜室扉６ａを備えている。尚、以下では冷蔵室扉２ａ、２ｂと製氷室扉３ａ、上段冷凍室扉４ａ、下段冷凍室扉５ａ、及び野菜室扉６ａとを単に扉として略称する。
【００２１】
また、冷蔵庫１は、各扉２ａ、２ｂ、３ａ、４ａ、５ａ、６ａの開閉状態をそれぞれ検知する図示しない扉センサと、扉開放状態と判定された状態が所定時間として、例えば１分間以上継続された場合に、使用者に報知する図示しないアラームや、冷蔵室２や野菜室６の温度設定や冷凍温度帯室の温度設定をする図示しない温度設定器等を備えている。
【００２２】
図２を参照すれば、冷蔵庫１の庫外と庫内とは、発泡断熱材（例えば発泡ポリウレタン等を例示できる）を充填して形成される断熱箱体１０により隔てられている。また、係る断熱箱体１０の背面側の壁内には複数の真空断熱材２５が実装されている。
【００２３】
冷蔵庫１の庫内は、断熱仕切壁２８により冷蔵室２と上段冷凍室４及び製氷室３（図１に示されるもので、図２中には図示されない）とが隔てられて区分され、断熱仕切壁２９により下段冷凍室５と野菜室６とが隔てられて区分されている。
【００２４】
扉２ａ、２ｂの庫内側には複数の扉ポケット３２が備えられており、冷蔵室２は複数の棚３６により縦方向に複数の貯蔵スペースが区画されている。
【００２５】
上段冷凍室４、下段冷凍室５、及び野菜室６は、それぞれの各室の前方に備えられた扉３ａ、４ａ、５ａ、６ａと一体化されるように、収納容器３ｂ、４ｂ、５ｂ、６ｂがそれぞれ設けられており、各扉４ａ，５ａ，６ａの図示しない取手部に手を掛けて手前側に引き出すことにより各収納容器４ｂ，５ｂ，６ｂが引き出せるようになっている。図１に示される製氷室３の場合にも同様に、扉３ａと一体化されるように、図２中に示される収納容器３ｂが設けられ、扉３ａの図示しない取手部に手を掛けて手前側に引き出すことにより収納容器３ｂが引き出せるようになっている。
【００２６】
また、図２〜図５を参照すれば、冷却器７は下段冷凍室５の略背部に備えられた冷却器収納室８内に設けられており、冷却器７の上方に設けられた庫内ファンモータ（送風機）９により冷却器７と熱交換して冷やされた空気の冷気（以下、冷却器７で冷やされてできた低温空気を冷気と称する）が冷蔵室送風ダクト１１、上段冷凍室送風ダクト１２、下段冷凍室送風ダクト１３、及び図示しない製氷室送風ダクトを介して冷蔵室２、上段冷凍室４、下段冷凍室５、及び製氷室３の各室へ送られる。各室への送風は、冷蔵室冷却ダンパ２０と冷凍室冷却ダンパ５０とにおける開閉動作により制御される。因みに、冷蔵室２、製氷室３、上段冷凍室４、及び下段冷凍室５に対する各送風ダクトは、図３に破線で示す（図３中には冷蔵室送風ダクト１１、上段冷凍室送風ダクト１２が示される）ように冷蔵庫１の各室の背面側に設けられている。
【００２７】
図２〜図５（主に図３）を参照して具体的に説明すれば、冷蔵室冷却ダンパ２０が開状態、冷凍室冷却ダンパ５０が閉状態のときには、冷気が冷蔵室ダクト１５及び冷蔵室送風ダクト１１を経て多段で設けられた吹き出し口２ｃから冷蔵室２に送られる。冷蔵室２の冷却を終えた後、冷蔵室背面右側下部に備えられた冷蔵室戻り口２ｄから流入し、冷蔵室２−野菜室６間の室間連通ダクト１６を介して野菜室６の背面右側上部に設けられた野菜室吹き出し口６ｃから野菜室６に流入して野菜室６を冷却する。野菜室６を冷却した冷気は、断熱仕切壁２９の下部前方に設けられた野菜室戻り口６ｄ（図２に示される）から野菜室戻りダクト１８（図２に示される）を介して冷却器７の幅とほぼ等しい幅の野菜室戻り吐出口１８aから流入する。
【００２８】
図３中では冷凍室冷却ダンパ５０を省略しているが、冷凍室冷却ダンパ５０が開状態のとき、冷却器７で熱交換された冷気が庫内ファンモータ９により略図した製氷室送風ダクトや上段冷凍室送風ダクト１２を経て吹き出し口３ｃ、４ｃからそれぞれ製氷室３、上段冷凍室４へ送風され、下段冷凍室送風ダクト１３（図４に示される）を経て吹き出し口５ｃから上段冷凍室４へ送風される。一般に、周囲温度に対して低温の冷気は上方から下方に向かう下降流を形成するため、冷気を室の上方により多く供給すれば室内を良好に冷却することができる。実施例１の冷蔵庫１では、冷凍室冷却ダンパ５０を設けているが、これを庫内ファンモータ９の上方に設置することで、庫内ファンモータ９からの送風をスムーズにし、下段冷凍室５の上段に位置する製氷室３や上段冷凍室４に送風できるように配慮している。
【００２９】
更に、図５を参照すれば、冷蔵室２を冷却した冷気は、冷却器収納室８の側方に備えられた室間連通ダクト１６を通って野菜室６に流入する。野菜室６からの戻り冷気は、野菜室戻り口６ｄ（図２参照）から流入し、断熱仕切壁２９の中に設けられた野菜室戻りダクト１８（図２、図４に示される）を通って冷却器収納室８の下部前方に設けられた、冷却器７の幅とほぼ等しい幅寸法の野菜室戻り吐出口１８a（図５参照）から冷却器収納室８に流入する。
【００３０】
一方、冷凍温度帯室を冷却した冷気は、冷却器収納室８と冷凍温度帯室とを仕切ると共に、下段冷凍室送風ダクト２６が設けられた仕切板５４（図４に示される）の下部に備えられた冷却器７の幅とほぼ等しい幅寸法の冷凍室戻り口１７を介して冷却器収納室８に流入する。尚、冷却器収納室８の下方に備えられた除霜ヒータ２２は、ガラス管ヒータであり、ガラス管の外周にはアルミニウム製の放熱フィン２２ａ（図5に示される）が備えられている。除霜ヒータ２２の上方には、除霜水が除霜ヒータ２２に滴下することを防止するために上部カバー５３（図４に示される）が設けられている。
【００３１】
冷却器７及びその周辺の冷却器収納室８の壁に付着した霜が除霜ヒータ２２の除霜で融解されることで生じた除霜水は冷却器収納室８の下部に備えられた樋２３に流入した後、排水管２７を介して機械室１９に配された蒸発皿２１（図２、図４に示される）に達し、圧縮機２４及び機械室１９内に配設される略図する凝縮器の発熱により蒸発させられる。
【００３２】
また、冷却器７の正面から見て左上部には冷却器７に取り付けられた冷却器温度センサ３５、冷蔵室２には冷蔵室温度センサ３３、下段冷凍室５には冷凍室温度センサ３４がそれぞれ備えられており、それぞれ冷却器７の温度（以下、冷却器温度と称する）、冷蔵室２の温度（以下、冷蔵室温度と称する）、下段冷凍室５の温度（以下、冷凍室温度と称する）を検知できるようになっている。更に、冷蔵庫１は、庫外の温度を検知する略図する外気温度センサを備えている。因みに、野菜室６においても野菜室温度センサ３３ａが配置されている。
【００３３】
冷蔵庫１の天井壁上面側にはＣＰＵ、ＲＯＭやＲＡＭ等のメモリ、及びインターフェース回路等を搭載して構成される制御装置（制御手段）である制御基板３１（図2に示されるが、要部の機能構成は後文で詳述する）が配置されている。制御基板３１は、上述した外気温度センサ、冷却器温度センサ３５、冷蔵室温度センサ３３、野菜室温度センサ３３ａ、及び冷凍室温度センサ３４と、各扉２ａ、２ｂ、３ａ、４ａ、５ａ、６ａの開閉状態をそれぞれ検知する略図した扉センサと、冷蔵室２内壁に設けられた略図する温度設定器と、下段冷凍室５内壁に設けられた略図する温度設定器等と、に接続され、ＲＯＭに予め搭載されたプログラムにより圧縮機２４のＯＮ、ＯＦＦ等の制御、冷蔵室冷却ダンパ２０及び冷凍温室冷却ダンパ５０の開閉動作を個別に駆動制御するための略図する各アクチュエータの制御、庫内ファンモータ９のＯＮ／ＯＦＦ制御や回転速度制御、上述した各扉２ａ、２ｂ、３ａ、４ａ、５ａ、６ａの開放状態を報知するアラームのＯＮ／ＯＦＦ等の制御を行う。
【００３４】
実施例１に係る冷蔵庫１では、冷蔵室冷却ダンパ２０及び冷凍温室冷却ダンパ５０の開閉動作に着目し、係る制御基板３１によってそれらの開閉動作開始前に庫内ファンモータ９の目標回転数を設定し、開閉動作終了後に庫内ファンモータ９の回転数を検出すると共に、回転数補正値を演算し、開閉動作終了後の回転数補正値に基づいて庫内ファンモータ９の回転数の調整を行う機能を持たせるものである。
【００３５】
図6は、実施例１に係る冷蔵庫１に備えられる各ダンパ（冷蔵室冷却ダンパ２０及び冷凍温室冷却ダンパ５０）の開閉動作に伴う風路抵抗特性を風量Ｑ[ｍ３／分]に対する静圧Ｐｓ[Ｐａ]の関係で示した図である。ここでは、冷蔵庫１の冷気風路中に設けられた冷蔵室冷却ダンパ２０、冷凍室冷却ダンパ５０の開閉動作に応じて変化する風路抵抗特性Ｃ１〜Ｃ３を示している。
【００３６】
風路抵抗特性Ｃ１は、庫内ファンモータ９から距離の近い冷凍室冷却ダンパ５０が閉状態で、庫内ファンモータ９から距離の遠い冷蔵室冷却ダンパ２０が開状態の場合の風路抵抗を示しており、冷凍室冷却ダンパ５０及び冷蔵室冷却ダンパ２０が何れも閉状態で冷気が流れずに風量Ｑが得られない場合を除けば、最も風路抵抗が大きいことにより、風量Ｑが少なく、冷気が流れ難い場合に該当している。
【００３７】
風路抵抗特性Ｃ２は、冷凍室冷却ダンパ５０が開状態で、冷蔵室冷却ダンパ２０が閉状態の場合の風路抵抗を示しており、風路抵抗が風路抵抗特性Ｃ１の場合よりもずっと小さいことにより、風量Ｑが風路抵抗特性Ｃ１の場合よりもずっと多く、冷気が比較的流れ易い場合に該当している。
【００３８】
風路抵抗特性Ｃ３は、冷凍室冷却ダンパ５０が開状態で、冷蔵室冷却ダンパ２０も開状態の場合の風路抵抗を示しており、風路抵抗が風路抵抗特性Ｃ２の場合よりも更に小さいことにより、風量Ｑが風路抵抗特性Ｃ２の場合よりも更に多く、冷気が最も流れ易い場合に該当している。
【００３９】
要するに、風路抵抗の大きさを比較すれば、風路抵抗特性Ｃ１＞風路抵抗特性Ｃ２＞風路抵抗特性Ｃ３なる関係が成立する。
【００４０】
図７は、実施例１に係る冷蔵庫１に備えられる庫内ファンモータ９における風量特性Ｃ４並びに回転数特性Ｃ５を風量Ｑ[ｍ３／分]に対する静圧Ｐｓ[Ｐａ]、回転数Ｎｒｐｍの関係で示した図である。
【００４１】
庫内ファンモータ９の風量特性Ｃ４は、風量Ｑが最小（零）のときには静圧Ｐｓが最大となり、風量Ｑが最大のときには静圧Ｐｓが最小（零）となることを示している。因みに、図6に示した風路抵抗特性Ｃ１〜Ｃ３を図7中の風量特性Ｃ４に合成した場合の交点がそれぞれ各ダンパ開閉動作の条件下における実際の冷気の風量となる。
【００４２】
庫内ファンモータ９の回転数特性Ｃ５は、風量Ｑが最大のときは高回転となり、風量Ｑが最小（零）のときは低回転となることを示している。
【００４３】
以上の結果により、各ダンパ（冷凍室冷却ダンパ５０、冷蔵室冷却ダンパ２０）の開閉状態によって庫内ファンモータ９の回転数が変動することが判る。
【００４４】
ところで、庫内ファンモータ９の回転数が必要とされる回転数よりも高ければ、消費電力が大きくなってしまったり、或いは各貯蔵室内が冷え過ぎて設定温度より低温になってしまう可能性がある。また、庫内ファンモータ９の回転数が必要とされる回転数よりも回転数が低い場合、各貯蔵室内温度が設定温度に到達する時間が遅くなってしまったり、或いは設定温度に達しないといった問題が発生する可能性がある。従って、庫内ファンモータ９の回転数は、必要とされる回転数（設定される目標回転数）通りに運転されることが望ましいと言える。
【００４５】
図8は、実施例１に係る冷蔵庫１に備えられる制御装置（制御手段）である制御基板３１に係る基本構成を示した機能ブロック図である。
【００４６】
制御基板３１は、冷蔵庫１内に設置された複数の温度センサに接続されて各温度センサからの温度検出信号を受信すると共に、各ダンパ（冷凍室冷却ダンパ５０、冷蔵室冷却ダンパ２０）に接続されてそれらの開閉動作状態の検知、並びに温度検出信号から得られる情報に基づいて開閉動作の制御を行う冷蔵庫運転状態検知手段７１と、冷蔵庫運転状態検知手段７１で得られた情報に基づいて庫内ファンモータ９の目標回転数を設定するファン回転数設定手段７２と、庫内ファンモータ９に接続されて実際の庫内ファンモータ９の回転数を検出するファンモータ回転数検出手段７３と、ファンモータ回転数設定手段７２による目標回転数からファンモータ回転数検出手段７３で検出された実際の回転数を差し引いた差値を算出した結果に基づいて回転数補正値（庫内ファンモータ９に印加する電圧）を演算するファンモータ回転数補正手段７４と、庫内ファンモータ９の回転数を必要に応じて回転数補正値に基づいて調整して制御するファンモータ回転数制御手段７５と、を備えて構成される。
【００４７】
このうち、ファン回転数設定手段７２は、各ダンパ（冷凍室冷却ダンパ５０、冷蔵室冷却ダンパ２０）の開閉動作開始前に庫内ファンモータ９の目標回転数を設定しておく。また、ファンモータ回転数検出手段７２は、各ダンパ（冷凍室冷却ダンパ５０、冷蔵室冷却ダンパ２０）の開閉動作終了後に庫内ファンモータ９の実際の回転数を検出した結果をファンモータ回転数補正手段７４へ送出する。そこで、ファンモータ回転数補正手段７４は、ダンパの開閉動作終了後に回転数補正値を演算する。これにより、ファンモータ回転数制御手段７５は、各ダンパ（冷凍室冷却ダンパ５０、冷蔵室冷却ダンパ２０）の開閉動作終了後にファンモータ回転数補正手段７４で得られた回転数補正値に基づいて庫内ファンモータ９の回転数の調整（庫内ファンモータ９に印加する電圧を変化させる）を行う。
【００４８】
図９は、制御基板３１による動作処理を示したフローチャートである。制御基板３１では、冷蔵庫１に対する電源投入後、まず初期動作（ステップＳ１）として、各ダンパ（冷蔵室冷却ダンパ２０、冷凍室冷却ダンパ５０）の開閉動作起動の準備を含め、全体的なイニシャライズ動作等を行う。
【００４９】
次に、冷蔵庫運転状態検知手段７１により冷蔵庫１内に設置された複数の温度センサを含む各センサ（それらの信号）、駆動部品の状態を読み込み（ステップＳ２）を行い、各ダンパ（冷蔵室冷却ダンパ２０、冷凍室冷却ダンパ５０）の開閉動作開始前にファンモータ回転数設定手段７２により庫内ファンモータ９の回転数設定に係るファンモータ回転数設定値Ｎｃｔｌ（ステップＳ３）を設定する処理を行った後、ファンモータ回転数制御手段７５により庫内ファンモータ９の起動に係るファンモータＯＮ（ステップＳ４）の処理を行う。
【００５０】
更に、冷蔵庫運転状態検知手段７１により各ダンパ（冷凍室冷却ダンパ５０、冷蔵室冷却ダンパ２０）の開閉動作開始の確認に係る冷凍室ダンパまたは冷蔵室ダンパが開閉動作開始したか否かの判定（ステップＳ５）を行う。この判定の結果、何れかのダンパが開閉動作開始していれば、ファンモータ回転数制御手段７５により庫内ファンモータ９の停止に係るファンモータＯＦＦ（ステップＳ６）の処理を行った後、冷蔵庫運転状態検知手段７１により各ダンパ（冷凍室冷却ダンパ５０、冷蔵室冷却ダンパ２０）の開閉動作終了に係るダンパ動作終了（ステップＳ７）とする。引き続いて、ファンモータ回転数制御手段７５により再度庫内ファンモータ９の起動に係るファンモータＯＮ（ステップＳ８）の処理を行った後、ファンモータ回転数検出手段７３によりダンパ開閉動作終了後の庫内ファンモータ９の回転数検出に係るファンモータ実回転数Ｎｒ検出（ステップＳ９）の処理を行う。更に、これを受けてファンモータ回転数補正手段７５により庫内ファンモータ９に印加する電圧を示す回転数補正値として、ダンパ開閉動作開始前の庫内ファンモータ９の回転数設定に係るファンモータ回転数設定値Ｎｃｔｌからダンパ開閉動作終了後の庫内ファンモータ９の回転数検出に係るファンモータ実回転数Ｎｒを差し引いた差分値ΔＮ（＝Ｎｃｔｌ−Ｎｒ）を算出する回転数差演算（ステップＳ１０）を行って得られた回転数補正値（差分値ΔＮ）に基づいて、ファンモータ回転数制御手段７５により庫内ファンモータ９の回転数補正に係るファンモータ回転数調整（ステップＳ１１）を行う。
【００５１】
この後は、冷蔵庫運転状態検知手段７１により冷蔵庫１の通常冷却運転に係る通常冷蔵庫運転制御（ステップＳ１２）を行ってから先の冷蔵庫１内各センサ、駆動部品の状態読み込み（ステップＳ２）の前にリターンしてそれ以降の処理を繰り返すが、先の冷凍室ダンパまたは冷蔵室ダンパが開閉動作開始したか否かの判定（ステップＳ５）の結果、何れのダンパも開閉動作開始していない場合についても、上述した各処理（ステップＳ６〜ステップＳ１１）をジャンプし、冷蔵庫運転状態検知手段７１により同様に冷蔵庫１の通常冷却運転に係る通常冷蔵庫運転制御（ステップＳ１２）を行ってから先の冷蔵庫１内各センサ、駆動部品の状態読み込み（ステップＳ２）の前にリターンしてそれ以降の処理を繰り返す。
【００５２】
即ち、図9で説明した制御基板３１の動作処理によれば、各ダンパ（冷凍室冷却ダンパ５０、冷蔵室冷却ダンパ２０）の開閉動作を行う都度、庫内ファンモータ９の回転数を補正して調整制御を行うことなるため、風路抵抗の変化による庫内ファンモータ９の設定回転数と実際の回転数とのずれを抑制することができる他、庫内ファンモータ９の周囲温度の変化による庫内ファンモータ９の回転数の変化についても十分に抑制することができる。このような結果として、一層確実に安定した冷却能力を確保できると共に、消費電力についても十分に低減し得る。
【００５３】
尚、図１〜図5を参照して説明した実施例１に係る冷蔵庫１の基本構造は、あくまでも一例であり、機種タイプ（類型）によって各貯蔵室の配置やレイアウト等が異なる場合があることはよく知られており、ダンパについても１個のものや３個以上のものを持つ様々なタイプがあるため、本発明の冷蔵庫１は実施例１で説明した構造のものに限定されない。
【符号の説明】
【００５４】
１  冷蔵庫
２  冷蔵室
３  製氷室
４  上段冷凍室
５  下段冷凍室
６  野菜室
７  冷却器
８  冷却器収納室
９  庫内ファンモータ（送風機）
１０  断熱箱体
１１  冷蔵室送風ダクト
１２  上段冷凍室送風ダクト
１３  下段冷凍室送風ダクト
１５  冷蔵室ダクト
１６  冷蔵室−野菜室連通ダクト
１７  冷凍室戻り口
１８  野菜室戻りダクト
１８a  野菜室戻り吐出口
１９  機械室
２０  冷蔵室冷却ダンパ
２１  蒸発皿
２２  除霜ヒータ
２３  樋  
２４  圧縮機
２６  下段冷凍室送風ダクト
２７  排水管
２８、２９  断熱仕切壁
３１  制御基板
３３  冷蔵室温度センサ
３３ａ  野菜室温度センサ
３４  冷凍室温度センサ
３５  冷却器温度センサ
５０  冷凍室冷却ダンパ
５３  上部カバー
５４  仕切板
７１  冷蔵庫運転状態検知手段
７２  ファンモータ回転数設定手段
７３  ファンモータ回転数検出手段
７４  ファンモータ回転数補正手段
７５  ファンモータ回転数制御手段
【図１】
2013224777.tif 000003
【図２】
2013224777.tif 000004
【図３】
2013224777.tif 000005
【図４】
2013224777.tif 000006
【図５】
2013224777.tif 000007
【図７】
2013224777.tif 000008
【図８】
2013224777.tif 000009
【図９】
2013224777.tif 000010
【図６】
2013224777.tif 000011